(57)【要約】　　　（修正有）【課題】切土のり面の安定の確保と共にコンクリート構造物の修景を図る植栽ボックスを提供する。【解決手段】上部に設置される植栽ボックスやブロック積み擁壁のコンクリートブロックの基礎となる壁面部１と、植栽ボックス部２と、植栽ボックス内に地山よりの浸透水や湧水を導入する空洞や、導水パイプ等の導水装置を併せ持ち、さらにロックボルトや補強鉄筋等で支圧固定できる構造を備え、さらに植栽ボックスの地山と接する壁面部に透水性とクッション性を併せ持つ部材４を備える植栽ボックスとその植栽ボックスによってブロック積み擁壁の一部のブロックを置き替える施工方法、さらにはロックボルトや補強鉄筋によって植栽ボックスの壁面に設けられた固定支圧構造によって固定支圧し、安定を図る施工方法。又、植栽ボックス内に施用される客土や地山等に菌根菌を混合あるいは定着させて植栽木の活着率を高める施工方法。【選択図】図１
2004076409.tif 000002
【特許請求の範囲】
【請求項１】
上部に設置される植栽ボックスあるいはコンクリートブロックの基礎を兼ねる壁面部１と、植栽ボックス部２と、地山より浸透水を植栽ボックス内に導入可能な空洞部もしくは透水部もしくは導水パイプ、マット等の導水装置３をあわせ持つ事を特徴とする植栽ボックスと該植栽ボックスをブロック積み擁壁工の一部に替えてなる施工方法。
【請求項２】
請求項１記載の植栽ボックスにして、その壁面部１にロックボルトもしくは補強鉄筋もしくはアンカー等による固定支圧構造を持つ事を特徴とする植栽ボックスとその施工方法。
【請求項３】
請求項１記載の植栽ボックスにして、その地山と接する部分に透水性とクッション性を併せ持つ部材４を装着する事を特徴とする植栽ボックスと該植栽ボックスをブロック積み擁壁工の一部に取り付けて修景を図る施工方法。
【請求項４】
斜面に設置される植栽ボックスあるいは植栽用ポットにおいて、該植栽ボックスやポット内に施用される植栽用土や、地山あるいは地山から水分等を導入する導水パイプ等の導水装置内に菌根菌を混合散布あるいは定着させる事を特徴とする植栽ボックスあるいは植栽ポットの施工方法。
【発明の詳細な説明】
【０００１】
【発明の属する技術分野】
本発明は切土のり面の安定の確保と共に、コンクリート構造物の修景を図り、環境改善に寄与する植栽ボックスを提供するものである。
【０００２】
【従来の技術】
のり面表層部に崩落の恐れのある箇所や表層のすべり土塊による土圧の影響を受ける恐れのあるのり面では、石積工、ブロック積み擁壁工、コンクリート擁壁工あるいはロックボルトや補強鉄筋工を併用する吹付のり枠工等の工法が採択されてきた。しかし、石積工やブロック積み擁壁、コンクリート擁壁等は無機質な石やコンクリート等でのり面を被覆する為に、人工的で、景観的に優れず、道路のり面では圧迫感を生ずる。又、吹付枠工はその形状から枠内に施される客土量は薄く、草本や肥料木と称される一部の木本しか導入できなかった。
【０００３】
【発明が解決しようとする課題】
すなわちコンクリート構造物による無機質でうるおいの無いのり面に積みブロックと同じ効果を持つと共に、花木や株物の植栽が可能な構造を持つ植栽ボックスを取付ける事により、自然に調和して修景が図れ、且つ斜面の安定を図る事が可能な工法を提供するものであり、この植栽ボックスによりサツキ、ツツジ等の花の咲く株物を植栽する事によって、都市周辺の道路のり面等の修景緑化と環境保全さらには、地球温暖化対策としても有効である。
【課題を解決する為の手段】
【０００４】
ブロック積み擁壁工等では、ブロックと胴込めコンクリートと裏込め砕石が一体となって、地山の安定を図るものである。本発明による植栽ボックスはこのブロック単体もしくは数個を植栽ボックスに置き換えて使用する事も可能であり、植栽ボックスの上部壁面部はブロック同様の効果を伴っており、上段に設置される植栽ボックスや積みブロックの基礎を兼ね、さらに透水性とクッション性を併せ持つ部材４は裏込め砕石と同様の効果を発揮し、さらに植栽ボックス部２には、地山よりの浸透水が空洞部もしくは透水部３を経由して導入される。植栽ボックス内には客土が施され、花木や株物等の植栽が行われる。又、安定度の低いのり面ではロックボルトや補強鉄筋を併用してこの植栽ボックスを支圧、固定する事によって、より安定したのり面を構築する事ができる。特に、本発明の利点としては、この植栽ボックスを歩行者の視界の範囲や、車の運転者の視野に入る位置にのみ設置する事が可能であり、より経済的に優れた景観を創出する事が可能となる。
【０００５】
また、本発明では植栽ボックスの背面に透水性とクッション性を併せ持つ部材４が取付けられている。これによって地山の浸透水を集水し、植栽ボックス部３内に導水して植栽木の枯死を防ぎ、生育を促進する。さらに、この透水性とクッション性を併せ持つ部材４の働きにより、ロックボルトや補強鉄筋等によって支圧、荷重が加えられた際、凹凸や岩塊のある地山でもその荷重を均等に分散する事が可能であり、偏荷重による植栽ボックスのひび割れ等を防止できる。
【０００６】
また、本発明により植栽ボックスへの施用客土材や地山に接する部分あるいは導水パイプ等に散布混合されるＶＡ菌根菌は、植栽された花木や株物の根系に共生し、根の細胞内にも侵入して樹枝状の菌糸を広げ、植物に給水する役割を果たす。すなわち、斜面に植栽する場合最も問題となる乾燥害を防ぎ、植物の乾燥による枯死を防ぐと共に微量要素や燐酸の吸収力を高める。
【実施例１】
【０００７】
ブロック積み擁壁工の施工箇所において、その一部である下部２段を本発明による植栽ボックスにより施工し、さらにその上部を従来の積みブロックによりのり面の安定を図ったものである。歩道を通行する歩行者の視界に入るのり面下部に緑の空間を取り入れ、修景緑化を図ったものである。本発明による植栽ボックスに設けられた上部壁面部１が、その上段に設置される植栽ボックスや積みブロック材の基礎となり、順次ブロック材は積み上げられて擁壁を構築する。さらに、壁面部下部に設けられた空洞部を介して、地山に貫通する導水パイプを植栽ボックス内へ導入できる様、若干の勾配をもって取り付ける。これによって地山からの浸透水を植栽ボックス内へ導入する事ができる。よって降雨ばかりでなく、浸透水や湧水も植栽ボックス内に挿入され、植栽された植物の生育は促進され、異常気象等による枯死は少なくなった。
【実施例２】
【０００８】
斜面の表層部の崩壊が予想され、ある程度の土圧に抵抗する必要のある場合の例であり、所定ピッチののり長、幅員でロックボルトや補強鉄筋を打設し、このロックボルトや補強鉄筋によって本発明による植栽ボックスを固定、支圧する。この植栽ボックスの壁面部にはロックボルトや補強鉄筋による固定支圧構造を有しており、この構造によって植栽ボックスはロックボルトや補強鉄筋を貫通させ、角座金を介しナットにより締め付け固定されると共に、地山に支圧される。この時、壁面部の裏面に設置された透水性とクッション性を有する部材が、浸透水や湧水を植栽ボックス内に導入する働きをすると共に、斜面の凹凸を吸収し、偏荷重を退け、壁面全体に荷重が分散されると共に、壁面部のクラック等の発生を抑制する事ができた。また、植栽ボックス内に充填される客土材とＶＡ菌根菌を混合して客土する事によって、植栽された樹木の根に菌根菌が共生し、その菌糸ネットワークは地山にまで達して吸水を助け、植栽木の生存率は不適期でも大幅に改善された事が確認できた。
【図面の簡単な説明】
【図１】本発明による植栽ボックスの外観図の一例である。
【図２】本発明による植栽ボックスの取付け断面図。
【符号の説明】
１…壁面部
２…植栽ボックス部
３…開口部
４…透水性とクッション性を備えた部材
５…固定用孔
６…排水孔
７…ボルト又は補強鉄筋
【図１】
2004076409.tif 000003
【図２】
2004076409.tif 000004